(57)【要約】【課題】  人台自体を平坦な場所に安定した状態で直立し、また人台が自由に回転することがなく、さらに支柱に取り付ける際にも使用者の所望により、人台とともに或いは人台とは別に取付具のみでも高さ調節することができるようにする。【解決手段】  上端に第１のフランジ５を一体化した第１の取付管３にねじ４を螺着する。第１のフランジ５に第１の取付管３との連通孔５０を穿つ。連通孔５０の周囲に複数の凸片５１、５１、５１、５１を突設する。第１のフランジ５の外周近傍に第１の上下遊挿孔５２、５２、５２、５２を貫通する。第２のフランジ６に連通孔５０に対応する透孔６１を穿つ。透孔６１に連通する第２の取付管６０を第２のフランジ６の表面に突設する。第２のフランジ６の裏面に各凸片５１に嵌合する嵌合溝６２を凹設する。各第１の上下遊挿孔５２に対応する第２の上下遊挿孔６３をフランジ６に貫通する。【選択図】    図１
2005253848.tif 000002
【特許請求の範囲】
【請求項１】
上端に第１のフランジを一体化した第１の取付管に支柱締付け用のねじを螺着し、第１のフランジに前記第１の取付管との連通孔を穿ち、前記連通孔の周囲に複数の凸片を突設し、前記第１のフランジの外周近傍に第１の上下遊挿孔を貫通し、また第２のフランジに前記連通孔に対応する透孔を穿ち、前記透孔に連通する第２の取付管を前記第２のフランジの表面に突設し、前記第２のフランジの裏面に前記各凸片に嵌合する嵌合溝を凹設し、前記各第１の上下遊挿孔に対応する第２の上下遊挿孔を前記フランジに貫通することを特徴とする人台の取付具。
【発明の詳細な説明】
【技術分野】
【０００１】
本発明は被服の陳列や被服の制作のために使用する人台を支柱に取付ける器具に関する。
【背景技術】
【０００２】
従来から図６で示す人台の取付具（従来前例）が知られている。この取付具は人台１に穿った遊挿孔１ａに支柱２を挿通し、取付管３に螺着したねじ４を支柱２に締付けるものである。
【０００３】
この従来例によると、支柱２に取付けた人台１が自由に水平回転してしまう不都合がある。
【０００４】
また上記従来前例と同構造のもので、人台１のフランジ５に仮想線で示す挿通孔５ｃ、５ｃを穿ち、各挿通孔５ｃからボルト（図示略）を挿通し、人台１にボルトを螺着することにより、フランジ５を人台１にあらかじめ固着し、その後取付管３に支柱２を挿通し、この支柱２にねじ４を締付けるものが従来から普及している。
【０００５】
この従来例によると、人台１の高さ調節は人台１とともにせざるを得ず、取付具のみでの高さ調節をすることができない。
【０００６】
さらに図７、８で示すような取付具が知られている。これは人台１に係合体６′をねじ止めにより固定するもので、具体的には係合体６′に遊挿孔６ａを穿ち、裏面に直径に渡る１条の突条６ｂを突設し、またフランジ５に複数条の係合溝５ａを遊挿孔５ｂから外周に渡って放射状に形成するものであり、取付管に前記従来例と同様に支柱を挿通し、前記支柱にねじ４で締付けるものである。
【０００７】
この従来例によると、突条６と所望の係合溝５ａとが嵌脱自在なので、前記人台１を取付具に取付けず、取付具のみで高さ調節をすることができるが、図８で示すように人台１を支柱に取付けず、接床させた場合に突条６ｂが人台１下面から突出し、人台１の底面を面接触させることができず、不安定である。
【０００８】
また前述のように突条６と所望の係合溝５ａとが嵌脱自在なので、人台１の水平回動を防ぐことができるが、人台自体を持ち上げれば支柱から直ちに外れてしまうので人台１とともに確実に高さ調節することは困難である。使用者によっては旧来どおり人台とともに高さ調節したい人もいれば、取付具のみで高さ調節したい人もいるため、この従来例で両者の要求を満たすことは困難である。
【０００９】
【特許文献１】実開昭５５−５６１６６号公報
【発明の開示】
【発明が解決しようとする課題】
【００１０】
本発明は人台を接床させた場合に図８で示すように不安定ではなく、安定した状態で直立できるようにすることを課題とする。
【００１１】
また本発明は支柱に取付けて高さ調節する場合、人台ごと調節することも、或いは人台とは別に取付具のみで調節することもでき、つまり使用者の所望の方法で高さ調節できるようにすることを課題とする。
【課題を解決するための手段】
【００１２】
本発明は上端に第１のフランジを一体化した第１の取付管に支柱締付用のねじを螺着し、第１のフランジに前記第１の取付管との連通孔を穿ち、前記連通孔の周囲に複数の凸片を突設し、前記第１のフランジの外周近傍に第１の上下遊挿孔を貫通し、また第２のフランジに前記連通孔に対応する透孔を穿ち、前記透孔に連通する第２の取付管を前記第２のフランジの表面に突設し、前記第２のフランジの裏面に前記各凸片に嵌合する嵌合溝を凹設し、前記各第１の上下遊挿孔に対応する第２の上下遊挿孔を前記フランジに貫通することを特徴とするものである。
【発明の効果】
【００１３】
本発明によれば、人台自体を平坦な場所に安定した状態で直立することができる。
【００１４】
また人台が自由に回転することがなく、支柱に取り付ける際にも人台とともに、若しくは人台とは別に取付具のみ、つまり使用者の所望の方法で高さ調節することができる。
【発明を実施するための最良の形態】
【００１５】
硬質プラスチックにより上端に第１のフランジ５を一体化した第１の取付管３を形成する。この取付管３で、かつフランジ５の下方に支柱２締付用のめねじ５３を螺設したボス５４を水平に突設し、めねじ５３にねじ４を螺入する。フランジ５の中央に取付管３と連通する透孔よりなる連通孔５０を穿ち、この連通孔５０の周囲に複数個、具体的には４個の凸片５１、５１、５１、５１を等配かつフランジ５と一体的に突設する。凸片５１は図５で示すように放射方向距離ｌよりも円周方向距離Ｌを長く形成する。このようにすれば水平回転方向に対する力に充分対処でき、耐性が増大する。フランジ５の外周近傍、具体的には矩形のフランジ５の四隅に皿ビス７を挿通するための第１の上下遊挿孔５２を貫通する。
【００１６】
硬質プラスチックにより下端に第２のフランジ６、具体的には矩形のフランジを一体化した第２の取付管６０を形成する。フランジ６の中央に取付管６０と連通し、しかも連通孔５０に対応かつ同径の透孔６１を穿ち、フランジ６の裏面かつ透孔６１の周囲に凸片５１、５１、５１、５１に嵌合可能な４個の嵌合溝６２、６２、６２、６２を凹設し、フランジ６の四隅で、かつ第１の各上下挿通孔５２に対応する位置に第２の上下遊挿孔６３を貫通する。
【００１７】
次に本発明の使用法および作用を説明すれば、図３で示すように人台１にあらかじめ形成したフランジ６および取付管６０を挿入するための段付孔１０の小径孔１０ａに取付管６０を嵌入し、大径孔１０ｂにフランジ６を埋入する。このため人台１を平坦な場所に置いても人台底部から突条が突出することがなく、安定性がよい。
【００１８】
また支柱２に取付管３および連通孔５０を外挿し、所望の高さ位置でねじ４を螺動し、ねじ４の先端を支柱２に締付けて取付管３を固定する。つまり取付管３の昇降操作とねじ４止めのみで高さ調節することができる。続いて人台１を所望の方向に向け、支柱２に人台１側の透孔６１、連通孔５０を外挿し、対応する各嵌合溝６２を各凸片５１に外嵌する。
【００１９】
さらに別の使用法として人台１に前記方法により取付管６０、フランジ６を埋入した後、対応する各嵌合溝６２を各凸片５１に外嵌する。しかる後各皿ビス７を各上下挿通孔５２、６３に挿入し、発泡スチロールのようなプラスチックで形成された人台１にタッピングしながらねじ止めする。
【００２０】
そして支柱２に取付管３、連通孔５０、透孔６１、第２の取付管６０を外挿し、所望の高さ位置でねじ４を螺動し、ねじ４の先端を支柱２に締付けて取付管３を固定する。このとき人台１と第１の取付管３とは一体になっているので旧来のように支柱２に人台１とともに高さ調節を確実にすることができる。
【図面の簡単な説明】
【００２１】
【図１】本発明の分解斜視図である。
【図２】本発明の一使用状態を示す斜視図である。
【図３】同上の要部を示す断面図である。
【図４】本発明を構成する第２のフランジの底面図である。
【図５】本発明を構成する第１のフランジとねじの平面図である。
【図６】従来前例の使用状態を示す斜視図である。
【図７】従来後例の分解斜視図である。
【図８】従来後例の係止具を取付けた人台を接床した状態の正面図である。
【符号の説明】
【００２２】
２  支柱
３  第１の取付管
４  ねじ  
５  第１のフランジ
６  第２のフランジ
５０  連通孔
５１  凸片
５２  第１の上下遊挿孔
６０  第２の取付管
６１  透孔
６２  嵌合溝
６３  第２の上下遊挿孔
【図１】
2005253848.tif 000003
【図２】
2005253848.tif 000004
【図３】
2005253848.tif 000005
【図４】
2005253848.tif 000006
【図５】
2005253848.tif 000007
【図６】
2005253848.tif 000008
【図７】
2005253848.tif 000009
【図８】
2005253848.tif 000010